(57)【要約】【課題】本発明の目的は、簡単に苗を移植することができ、土がこぼれず、植物を上下逆さまに栽培することができるプランターおよび移植方法を提供することにある。【解決手段】プランター１０は、上部１２と下部１４にそれぞれ上部開口部１６と下部開口部１８を備えた容器本体２０と、下部開口部１８の開口面積を変化させる線状体２２と、上部１２と下部１４との距離を変化させる弾性部材２４とを備える。弾性部材２４はロック３４によって圧縮状態で固定することができる。【選択図】図１
2013099313.tif 000002
【特許請求の範囲】
【請求項１】
柔軟性を有するシート状部材で構成され、上部と下部にそれぞれ上部開口部と下部開口部を備えた容器本体と、
前記容器本体の上部と下部との距離を変化させる弾性部材と、
前記弾性部材を圧縮状態で固定し、弾性部材を伸張させるために該固定を解除するロックと、
を備え、
前記容器本体に植物の根が配置され、該植物が下部開口部を通して下方に向けられ、
前記植物を容器本体に配置した後、ロックを外して弾性部材によって容器本体の上部と下部の距離を変化させる
プランター。
【請求項２】
前記容器本体内の下部において、植物の茎または幹が通過する穴を有する透水部材を設けた請求項１のプランター。
【請求項３】
前記容器本体から下方に伸びるガイド部材を設けた請求項１または２のプランター。
【請求項４】
前記下部開口部を形成する縁に取り付けられ、植物の茎または幹の周りに下部開口部の縁が配置されるように、下部開口部の開口面積を変化させる線状体を備えた請求項１から３のいずれかのプランター。
【請求項５】
前記容器本体の上部、側部または弾性部材に取り付けられた容器本体を吊り下げる吊り下げ用治具、または下部または側部を支える支持具を設けた請求項１から４のいずれかのプランター。
【請求項６】
請求項５のプランターを準備する工程と、
前記弾性部材を圧縮状態で固定し、植物を上方に向け、前記下部を上方に配置した状態の容器本体の内部に植物を配置する工程と、
前記プランターおよび植物を一緒にひっくり返す工程と、
前記吊り下げ用治具によって容器本体を吊り下げ、または支持具によって容器本体を支える工程と、
前記弾性部材の固定を解除して弾性部材を伸張させ、容器本体の上部と下部との距離を長くする工程と、
前記上部開口部から容器本体の内部に土を入れる工程と、
を備えた植物の移植方法。
【請求項７】
前記プランターおよび植物を一緒にひっくり返す工程の前に、透水部材の穴に植物の茎または幹を配置する工程を備えた請求項６の植物の移植方法。
【発明の詳細な説明】
【技術分野】
【０００１】
本発明は、植物を栽培するためのプランターおよびそのプランターを使用した植物の移植方法に関するものである。
【背景技術】
【０００２】
従来、植物を栽培するための種々のプランターが開発および販売されている。例えば、下記の特許文献１と２のような植物を逆さに栽培するためのプランターもある。プランターに苗を移植する際、苗を逆さに向け、プランターの下部の穴に茎が通るようにする。植物が地面を向くようにプランターを吊り下げる。植物に実がなれば、その重量によって下方に茎が伸びる。プランターを吊り下げる代わりに、植物を支えるための支柱やネットを設ける必要はない。
【０００３】
しかし、移植をおこなう際、葉によって下部の穴に茎と葉が通りにくい。新聞紙などで茎と葉を束ねても、下部の穴を大きくする必要がある。下部の穴を大きくすると土がその穴からこぼれる。特許文献１のように保持手段を設けたり、特許文献２のように容器が分割できるようにすることが考えられる。しかし、下部の穴の大きさが固定されるので、茎の細い植物の場合、穴に茎が通っても隙間ができ、土が漏れる。苗は薄い鉢状の育苗ポットで栽培されており、苗を逆さに向けて移植することも手間である。
【先行技術文献】
【特許文献】
【０００４】
【特許文献１】特表２０１０−５２７５８７号公報
【特許文献２】特開２００４−１２１１９３号公報
【発明の概要】
【発明が解決しようとする課題】
【０００５】
本発明の目的は、簡単に苗を移植することができ、土がこぼれず、植物を上下逆さまに栽培することができるプランターおよび移植方法を提供することにある。
【課題を解決するための手段】
【０００６】
本発明のプランターは、柔軟性を有するシート状部材で構成され、上部と下部にそれぞれ上部開口部と下部開口部を備えた容器本体と、前記容器本体の上部と下部との距離を変化させる弾性部材と、前記弾性部材を圧縮状態で固定し、弾性部材を伸張させるために該固定を解除するロックとを備える。前記容器本体に植物の根が配置され、該植物が下部開口部を通して下方に向けられ、前記植物を容器本体に配置した後、ロックを外して弾性部材によって容器本体の上部と下部の距離を変化させる。未使用時にロックによって容器本体を縮小し、使用時に容器本体を拡張して、植物や土が入れられる形状にする。
【０００７】
前記容器本体内の下部において、植物の茎または幹が通過する穴を有する透水部材を設ける。透水部材で土や植物が漏れないようにする。
【０００８】
前記容器本体から下方に伸びるガイド部材を設ける。ガイド部材を伝って植物が伸びる。
【０００９】
前記下部開口部を形成する縁に取り付けられ、植物の茎または幹の周りに下部開口部の縁が配置されるように、下部開口部の開口面積を変化させる線状体を備える。
【００１０】
前記容器本体の上部、側部または弾性部材に取り付けられた容器本体を吊り下げる吊り下げ用治具、または下部または側部を支える支持具を設ける。上部またはその付近から容器本体を所望の箇所に吊り下げる、または支持具によって支える。
【００１１】
植物の移植方法は、上記のプランターを準備する工程と、前記弾性部材を圧縮状態で固定し、植物を上方に向け、前記下部を上方に配置した状態の容器本体の内部に植物を配置する工程と、前記プランターおよび植物を一緒にひっくり返す工程と、前記吊り下げ用治具によって容器本体を吊り下げ、または支持具によって容器本体を支える工程と、前記弾性部材の固定を解除して弾性部材を伸張させ、容器本体の上部と下部との距離を長くする工程と、前記上部開口部から容器本体の内部に土を入れる工程とを備える。
【００１２】
前記プランターおよび植物を一緒にひっくり返す工程の前に、透水部材の穴に植物の茎または幹を配置する工程を備える。
【発明の効果】
【００１３】
本発明によると、最初に容器本体の側部が収縮しているため、植物を上方に向けたままで移植をおこなうことが可能であり、植物の移植が容易である。ロックを解除するだけで簡単に容器本体の側部が伸びて使用時の形状になり、作業が簡単である。
【図面の簡単な説明】
【００１４】
【図１】本発明のプランターを示す図である。
【図２】（ａ）はプランターの上面図であり、（ｂ）はプランターの下面図である。
【図３】プランターの使用前に下部を上方に向けた図である。
【図４】プランターの容器本体の内部に育苗ポットに入れられた植物を配置した図であり、（ａ）は側面図、（ｂ）は上面図である。
【図５】線状体によって下部開口部の縁を茎の周囲へ配置した図である。
【図６】プランターと植物とを一緒にひっくり返した図である。
【図７】プランターのロックを外して、上部開口部から土を入れる図である。
【図８】ロックとして紐を使用した図である。
【図９】容器本体を円錐にした図である。
【図１０】プランターを板の上に配置した図である。
【図１１】容器本体の下部に透水部材を設けた図である。
【図１２】透水部材の上面図である。
【図１３】透水部材を配置した容器本体の仮面図である。
【図１４】植物保持体を設けた図であり、（ａ）は植物保持体が容器本体を通過し、（ｂ）は植物保持体が容器本体の下部かに取り付けられた図である。
【発明を実施するための形態】
【００１５】
本発明のプランターおよび植物の移植方法について図面を使用して説明する。プランターに移植されて栽培される植物は、野菜、果物、花など限定されない。上部と下部は植物の移植後にプランターの使用状態での位置を表している。
【００１６】
図１、図２に示すプランター１０は、上部１２と下部１４にそれぞれ上部開口部１６と下部開口部１８を備えた容器本体２０と、下部開口部１８の開口面積を変化させる線状体２２と、上部１２と下部１４との距離を変化させる弾性部材２４とを備える。
【００１７】
容器本体２０の側部３２は、筒状になっている。容器本体２０の内部空間に土２６が入れられ、土２６の中に植物２８の根が配置される。容器本体２０は柔軟性を有するシート状部材で構成される。
【００１８】
容器本体２０の上部１２は、上部開口部１６から土２６や肥料を入れ、水を供給できるようになっている。植物２８を移植する際に、上部開口部１６を植物２８や育苗ポットが通過する開口面積にしておく。上部１２の全てを上部開口部１６にしても良いし、上部１２の一部を上部開口部１６にしても良い。
【００１９】
下部開口部１８が下部１４の中心に配置され、下部開口部１８を植物２８の茎が通過し、下部１４の下部開口部１８以外の部分で植物２８の根や土２６を支える。下部開口部１８は線状体２２によって、植物２８を移植する前は、葉や茎が通過する開口面積を有し、移植後は土がこぼれないように絞られる。
【００２０】
容器本体２０を構成するシート状部材は柔軟性を有し、下部開口部１８の開口面積を変化させることができる。例えば容器本体２０は、ポリウレタン、ポリエステル、ポリアミド、ポリオレフィン（ポリエチレン、ポリプロピレン、エチレン−酢酸ビニル共重合体、エチレン−アクリレート共重合体、エチレン−不飽和カルボン酸（またはその塩）共重合体）、ビニルアルコール系重合体、アクリロニトリル系共重合体、ポリ塩化ビニル、ポリ塩化ビニリデンをはじめとする種々の樹脂（エラストマーを含む）のシート状部材を使用する。また、シート状部材は木綿、麻などの天然繊維、ポリエステル繊維、ナイロン繊維、ビニロン繊維などの合成繊維などの種々の繊維を織ったものでも良い。土２６や水の重量によって破れないシート状部材を使用する。図１では、下部１４が水平になっているが、土２６などの重みによって垂れ下がっても良い。
【００２１】
容器本体２０の下部１４は、透水用の孔が設けられても良い。下部開口部１８から植物１８の茎を伝って流れ落ちる水もあるが、孔を利用して下部１４全体から落水させることにより、水はけを良くすることができる。移植する植物２８の性質によって透水用の孔の有無を変更しても良い。また、容器本体２０の側部３２の透水性、非透水性、通気性など、植物２８の種類によって変更しても良い。
【００２２】
線状体２２は、紐やロープなどである。例えば、巾着袋のように下部開口部１８を形成する縁３０に袋状部分を形成して、袋状部分の中で縁３０を一周するように線状体２２を配置する。袋状部分に開口を設け、線状体２２の両端は開口から袋状部分から出るようにする。線状体２２で縁３０を絞ることによって、下部開口部１８の開口面積を縮小することができる。縁３０を植物２８の茎に沿わせ、土２６が落ちないようにする。土２６が落ちないのであれば、下部開口部１８を形成する縁３０が茎に完全に接しなくても良い。袋状部分を形成しなくても、縁３０を絞ることができれば、縁３０の付近を外側から線状体２２を押し当てて絞っても良い。
【００２３】
弾性部材２４は、コイルバネを使用する。コイルバネの一端が上部１２、他端が下部１４に配置される。コイルバネの両端の一周によって、上部１２と下部１４の外縁を形成するようにしても良い。コイルバネの両端以外の部分は、容器本体２０の側部３２を周回するように配置される。容器本体２０が弾性部材２４に取り付けられ、弾性部材２４が容器本体２０の骨組みとなる。弾性部材２４によって容器本体２０の形が崩れず、土２６を入れやすくなっている。図１では、弾性部材２４が容器本体２０の内側に配置されているが、容器本体２０の外側に配置されても良い。
【００２４】
弾性部材２４はロック３４によって圧縮状態で固定することができる（図３）。ロック３４によって弾性部材２４が縮小していると、容器本体２０の側部３２は折り畳まれ、高さも低くなる。ロックを解除すると、弾性部材２４が伸張する。この伸張に応じて容器本体２０の側部３２が伸び、上部１２と下部１４の距離が長くなる。流通段階では弾性部材２４を圧縮状態で固定し、容器本体２０の側部３２を縮小させ、持ち運びを容易にする。植物２８を移植する際、最初は圧縮されて縮んでおり、途中で伸張される。使用後は再びロック３４によって弾性部材２４を圧縮することにより、プランター１０が小さくなり、収納場所を小さくできる。
【００２５】
例えば、ロック３４はコイルバネの一端と他端とに引っかけられるフック３６を備えている。帯状にした板バネによってロック３４を構成しても良い。板バネの両端にフック３６を設け、各フック３６でコイルバネの一端と他端とを保持し、片手で板バネが外れるようにする。また、ボタンなどによってコイルバネの圧縮状態を解除するロック３４であっても良い。ロック３４の数は１つに限定されず、複数であっても良い。
【００２６】
プランター１０を吊り下げるために、吊り下げ用治具４２を備える。吊り下げ用治具４２は吊りベルトやフックである。上部１４または側部３２の複数箇所に穴を設け、穴に吊りベルトやフックを通してプランター１０を吊り下げる。側部３２に吊り下げ用治具４２を取り付ける場合、上部１４の付近に取り付ける。また、コイルバネを使用した弾性部材２４の上部の一周に吊り下げ用治具４２を取り付けても良い。
【００２７】
上記のプランター１０を使用した植物の移植方法について説明する。（１）植物２８を移植する前に、育苗ポット（苗プランター）３８の中で植物２８を移植できる状態まで栽培しておく。
【００２８】
（２）弾性部材２４を圧縮した状態のプランター１０を準備し、容器本体２０の内部に植物２８を配置する（図４）。下部開口部１８の縁３０は絞っていない状態で広くあけておき、植物２８の葉と茎が通過するようにしておく。プランター１０は上部１２と下部１４が上下逆さの状態であり、下部１４が上方にあり、上部１２が下方にある。植物２８は育苗ポット３８で栽培された状態であり、植物２８は上方を向いている。植物２８の茎と葉が新聞紙などに包まれていても良い。
【００２９】
育苗ポット３８で栽培された状態の植物２８を置いて、植物２８に対して被せるようにして容器本体２０を後から配置しても良いし、プランター１０を配置した後に、育苗ポット３８で栽培された状態の植物２８を容器本体２０の内部に配置しても良い。
【００３０】
（３）線状体２２で下部開口部１８の縁３０を絞ることにより、縁３０が植物２８の茎の周りに配置されるようにする（図５）。茎の周りに完全に接する必要はなく、土２６がこぼれない程度に茎と縁３０の隙間が生じていても良い。上記（２）と（３）の作業では、植物２８が上方を向いており、容器本体２０の中への植物２８の配置や縁３０を絞る作業は容易である。
【００３１】
（４）プランター１０と植物２８を一緒にひっくり返す（図６）。植物２８が天地逆さまになる。植物２８が押しつぶされないように、プランター１０をつり下げる。
【００３２】
（５）ロック３４を取り外して、弾性部材２４を伸張させる。弾性部材２４の伸張にしたがって容器本体２０の側部３２が伸び、上部１２と下部１４との距離が長くなる。容易に容器本体２０の内部に土２６と肥料を入れられる状態にすることができる。
【００３３】
（６）上部開口部１６から容器本体２０の内部に土２６を入れる（図７）。土２６を入れる前に育苗ポット３８を取り外す。土２６と一緒に肥料などを入れることができる。吊り下げ用治具４２でプランター１０を所望の箇所につり下げ、上部開口部１６から水を供給することができる。植物２８が生長し、果実が実ると重量によって植物２８が下方を向く。また、花などの重量によって下方を向かなくても、通常とは異なる雰囲気に植物２８を育てることができる。
【００３４】
以上のように本発明のプランター１０は、従来のプランターのように保持手段を備えたり分割されたりしない。線状体２２によって容易に土２６がこぼれないようにすることができる。茎の太さによって下部開口部１８の開口面積が変えられ、どのような植物２８に対しても土２６がこぼれないようにすることができる。最初に容器本体２０の側部３２が縮んでいるため、最初から植物２８を上下逆さにする必要もなく、植物２８の移植が容易である。
【００３５】
以上、本発明について一実施形態を説明したが本発明は上記の実施形態に限定されることはない。例えば、植物２８は草本以外に、盆栽などで栽培する小型の木本（樹木）であっても良い。樹木の根が容器本体２０の内部に配置され、幹が下部開口部１８を通過する。下部開口部１８の縁３０が幹の周りに配置される。草本および木本を含めて移植される植物２８は、育苗ポット３８で栽培された植物２８に限定されない。
【００３６】
ロック３４は弾性部材２４を圧縮状態で結ぶ紐であっても良い。紐をほどくことによって弾性部材２４が伸張する。紐４０ａを上部１２（または下部１４）に取り付け、紐４０ａを締結するためのリング４０ｂを下部１４（または上部１４）に設けてもよい（図８）。
【００３７】
上記実施形態では容器本体２０が円筒形になっているが、上部１２と下部１４で大きさや形状が異なっても良く、植物２８の根や土２６が保持できれば容器本体２０の形状は限定されない。図９に示すプランター１０’のように円錐形の容器本体２０’や、その他に多角形、角錐などが挙げられる。また、側部３２に凹凸が形成されたり、波打った形状であっても良い。また容器本体２０は、外側に種々の模様や絵を施しても良い。
【００３８】
容器本体２０を吊り下げる以外に、容器本体２０の下部１４または側部３２を支柱などの支持具で支えることによって、プランター１０が落下しないようにしても良い。また、支持具として板４４を使用し、板４４の上にプランター１０の下部１４を配置しても良い（図１０）。板４４は地表から離れており、板４４の植物２８の通過する部分に穴４６をあけておく。穴４６の数は限定されず、複数のプランター１０が配置されても良い。上記（４）では、プランター１０を吊り下げるのではなく、支持具で落下しないように支える。
【００３９】
容器本体２０の側部３２の高さが変えられる弾性部材２４はコイルバネに限定されない。線状のバネを折り畳んでおき、ロック３４を外すことによって線状のバネを伸張させ、側部３２の高さを高くしても良い。なお、容器本体２０の高さを変えないのであれば、弾性部材２４とロック３４を省略した構成であっても良い。
【００４０】
図１１のプランター５０のように、下部１４の内方に透水部材５２を設けても良い。透水部材５２はマット状であり、中心に植物２８の茎を通すための穴５４、透水部材５２の外縁から穴５４まで形成された第１切り込み５６を有する（図１２）。穴５４は下部開口部１８の開口領域よりも小さくしておく（図１３）。透水部材５２の外形は、下部開口部１８よりも大きく、下部１４と同じであっても良い。透水部材５２によって、土２６が漏れるのを防止し、水を通過させる。透水部材５２の材料としては、ヤシ、アシ、アバカ、バナナなどの食物繊維が挙げられる。
【００４１】
この場合、図１１のプランター５０のように線状体２２を省略しても良い。下部開口部１８を植物２８が通過する大きさにしておき、透水部材５２で土などが漏れるのを防止する。線状体２２が省略される分、見た目が美しくなる。なお、透水部材５２と線状体２２の両方を備えたプランターであっても良い。
【００４２】
穴５４を中心にして複数の第２切り込み５８を入れても良い。第２切り込み５８は透水部材５２の外縁に到達しない。植物２８が成長したときに、穴５４が広がり、植物２８の成長を阻害しない。
【００４３】
育苗ポット３８に植物２８が栽培されている状態で、植物２８の茎または幹を透水部材５２の外縁から第１切り込み５６を通して穴５４に配置させる。このとき、植物２８は上方を向いている。この後、上記（４）以降のように、プランター１０をひっくり返して、容器本体２０の側部を伸ばし、土を入れる。透水部材５２を配置するにときに、植物２８が下方を向いていないため、作業が行いやすい。
【００４４】
容器本体２０の下方に向けて伸びるガイド部材６０を設けても良い（図１４）。ガイド部材６０は、紐、ロープ、棒などである。ガイド部材６０は容器本体２０の内部を通過しても良いし（図１４（ａ））、容器本体２０の下方から伸びても良い（図１４（ｂ））。ガイド部材６０の一端が容器本体２０にあり、蔓植物などがガイド部材６０に巻き付きながら伸びることができる。蔓植物の特性から、ガイド部材６０のある方が何もないよりも蔓の伸びがよい。
【００４５】
ガイド部材６０の他端に錘６２を付け、ガイド部材６０の揺れを押さえてもよい。揺れを押さえることによって、植物２８の切断を防止する。ガイド部材６０は、容器本体２０自体や容器本体２０に取り付けられた吊り下げ用治具４２，リング４０ｂなどに取り付けられても良い。
【００４６】
その他、本発明は、その主旨を逸脱しない範囲で当業者の知識に基づき種々の改良、修正、変更を加えた態様で実施できるものである。
【符号の説明】
【００４７】
１０、５０：プランター
１２：上部
１４：下部
１６：上部開口部
１８：下部開口部
２０：容器本体
２２：線状体
２４：弾性部材
２６：土
２８：植物
３０：縁
３２：側部
３４：ロック
３６：フック
３８：育苗ポット
４０ａ：紐
４０ｂ：リング
４２：吊り下げ用治具
４４：板
５２：透水部材
５４：穴
５６、５８：切り込み
６０：ガイド部材
６２：錘
【図１】
2013099313.tif 000003
【図２】
2013099313.tif 000004
【図３】
2013099313.tif 000005
【図４】
2013099313.tif 000006
【図５】
2013099313.tif 000007
【図６】
2013099313.tif 000008
【図７】
2013099313.tif 000009
【図８】
2013099313.tif 000010
【図９】
2013099313.tif 000011
【図１０】
2013099313.tif 000012
【図１１】
2013099313.tif 000013
【図１２】
2013099313.tif 000014
【図１３】
2013099313.tif 000015
【図１４】
2013099313.tif 000016